(57)【要約】【課題】手首の保護機能を安定的に行い得る手首保護帯を提供する。【解決手段】本発明は、手首保護帯に関するものであって、圧迫パッドを用いて手首の橈骨部位および尺骨部位のみを手首の中心方向に圧迫させることにより、手のしびれや手が腫れるなどの副作用の発生を防止するとともに、手首の保護機能を安定的に行い得、相互回動可能に結合される圧迫部材についての相互結合力を使用者の操作によって調節することにより、手首の橈骨部位および尺骨部位についての圧迫の荷重を調節できるため、使用者の必要に応じてより便利かつ最適化された状態で使用できる手首保護帯を提供する。【選択図】図１
2020528502.tif 000002
【特許請求の範囲】
【請求項１】
手首に着用されて手首を保護する手首保護帯において、
内側面の一側に手首の橈骨部位および尺骨部位のうち、いずれか１つを手首の中心方向に圧迫するように、第１圧迫パッドが装着される第１圧迫部材と、
内側面の一側に手首の橈骨部位および尺骨部位のうち、残りの１つを手首の中心方向に圧迫するように、前記第１圧迫パッドと対向する位置に第２圧迫パッドが装着される第２圧迫部材と、
両端部が前記第１および第２圧迫部材の一端部にそれぞれ回動可能に結合されて前記第１および第２圧迫部材を連結する連結部材と、
一側には、前記第１圧迫部材の他端部が回動可能に結合され、他側には、前記第２圧迫部材の他端部が使用者の操作によって結合または分離される結合ボディーと、
を含み、前記橈骨部位および尺骨部位以外には、手首を圧迫しないように形成され、前記結合ボディーは、前記第１および第２圧迫部材の前記橈骨部位および尺骨部位についての圧迫の荷重が調節されるように、前記第２圧迫部材の結合状態が使用者の操作によって調節可能に形成される手首保護帯。
【請求項２】
前記結合ボディーの他側端部には、前記第２圧迫部材の他端部が挿入結合されるように、挿入ガイドホールが形成され、
前記結合ボディーの中心部には、使用者によって操作可能な操作部が装着され、前記操作部は、前記第２圧迫部材が前記挿入ガイドホールに挿入される挿入の深さを調節するように形成される請求項１に記載の手首保護帯。
【請求項３】
前記第２圧迫部材の他端部には、別の連結ワイヤが貫通結合されて前記結合ボディーの操作部に連結され、
前記操作部の操作によって前記連結ワイヤが牽引されて前記第２圧迫部材が前記挿入ガイドホールに挿入結合される請求項２に記載の手首保護帯。
【請求項４】
前記結合ボディーの挿入ガイドホールには、前記第２圧迫部材の連結ワイヤが前記操作部に連結される経路をガイドするように、ワイヤガイド部が形成される請求項３に記載の手首保護帯。
【請求項５】
前記操作部は、
前記結合ボディーに固定結合され、開放された上端部には、内周面にラチェットギアが形成される固定ボディーと、
前記固定ボディーに上下に移動可能に結合され、下向き移動時に一方向の回転が拘束されるように、一側に前記ラチェットギアにかみ合われるストッパー突起が形成され、上向き移動時には、前記ストッパー突起とラチェットギアのかみ合い状態が解除される回転ボディーと、
前記回転ボディーとともに一体として上下移動および回転移動するように前記回転ボディーと結合し、使用者によって操作されるダイヤルノブと、
を含み、前記第２圧迫部材に貫通結合された連結ワイヤは、前記回転ボディーに一方向に巻取られる請求項４に記載の手首保護帯。
【請求項６】
前記固定ボディーには、前記連結ワイヤが貫通して前記回転ボディーに巻取られるように、前記連結ワイヤの貫通経路をガイドするワイヤ流入口が形成される請求項５に記載の手首保護帯。
【請求項７】
前記第１および第２圧迫パッドは、前記第１および第２圧迫部材にそれぞれ長さ方向に一定区間移動可能に装着される請求項１ないし請求項６のいずれか一項に記載の手首保護帯。
【請求項８】
前記第１および第２圧迫パッドの前記第１および第２圧迫部材についての接触面には、それぞれ挿入突出部が形成され、
前記第１および第２圧迫部材には、それぞれ前記挿入突出部が挿入収容されて移動できるようにパッド収容部が形成され、前記パッド収容部の内部空間には、前記挿入突出部がかみ合われた状態で外力によって移動できるように移動ガイド部が形成される請求項７に記載の手首保護帯。
【請求項９】
前記第１および第２圧迫パッドの手首についての接触面には、別の補助圧迫パッドが着脱可能に結合される請求項１ないし請求項６のいずれか一項に記載の手首保護帯。
【請求項１０】
前記第１および第２圧迫パッドの手首についての接触面には、長さ方向に沿って互いに離隔して多数の結合溝が形成され、
前記補助圧迫パッドの一面には、多数の前記結合溝のうち、いずれか１つに選択的に挿入結合するように結合突起が形成される請求項９に記載の手首保護帯。
【発明の詳細な説明】
【技術分野】
【０００１】
本発明は、手首保護帯に関する。より具体的には、圧迫パッドを用いて手首の橈骨部位および尺骨部位のみを手首の中心方向に圧迫させることにより、手のしびれや手が腫れるなどの副作用の発生を防止するとともに、手首の保護機能を安定的に行い得、相互回動可能に結合される圧迫部材についての相互結合力を使用者の操作によって調節することにより、手首の橈骨部位および尺骨部位についての圧迫の荷重を調節できるため、使用者の必要に応じて、より便利かつ最適化された状態で使用でき、手首保護帯の内部直径を全体的に拡張または縮小させ得るため、手首保護帯を手首に着用するか、または外す過程をより便利に行い得、ダイヤル方式の操作部を介して簡単に圧迫部材を回動させて手首を圧迫するか、または圧迫を解除し得、圧迫強度も操作部を介して簡単に調節できる手首保護帯に関する。
【背景技術】
【０００２】
人体の腕を成す関節は、橈骨と尺骨によって腕首が形成され、８つの手根骨として手首が形成され、回転、屈曲、伸展を可能にする５つの中手骨関節によって手のひらが形成され、多数の手指骨によって物体をつかむ機能を発揮する指が形成される。
【０００３】
これらの関節群は、手で握ってする運動、または活動時に反復的かつ持続的な使いすぎによって傷害が発生し得、傷害の際には、治癒が完全にできないとともに持続的に痛みが誘発される恐れがある。
【０００４】
したがって、身体の手首に着用して前記の関節および骨を保護するようにする手首保護帯が考案されて使用されてきた。
【０００５】
一般的に、手首保護帯は、肘保護帯、足首および腕首保護帯などとともに人々の弱い関節部位に着用してこれらの関節部位を保護するものであって、各種競技をする運動選手や作業をする作業者または遊びを楽しむ子供たちが安全のために着用する。
【０００６】
従来の技術による一般的な手首保護帯は、手首部位をくるむバンド形態として形成され、手首の外側面で、周りに沿って全体的に均一に手首部位を圧迫する形態として構成される。このような手首の圧迫を通じて手首関節を保護し、過度に手首が挫けることを防止するなどの機能を行う。
【０００７】
しかし、このような従来の技術による手首保護帯は、手首部位を全体的に均一に圧迫するため、長時間着用した場合、手首の動脈の血流がなだらかではなくなって手のしびれ現象が発生するか、または手が腫れるなどの問題があり、このような手のしびれのような不便さのため、運動中に手首保護帯を取り外すか、または初めから着用しなくなるなど、その活用度が非常に制限的であり、これによって様々な運動や活動中に手首が安全に保護されておらず、負傷の危険にさらされている実情である。
【発明の概要】
【発明が解決しようとする課題】
【０００８】
本発明は、従来技術の問題点を解決するために発明したものであって、本発明の目的は、圧迫パッドを用いて手首の橈骨部位および尺骨部位のみを手首の中心方向に圧迫させることにより、手のしびれや手が腫れるなどの副作用の発生を防止するとともに、手首の固定力を効果的に補うことができるため、手首が過度に挫けることを防止でき、手首の痛症を緩和させるなど、手首の保護機能を安定的に行い得る手首保護帯を提供するものである。
【０００９】
本発明の他の目的は、圧迫部材を回動可能に結合する形態として構成し、圧迫部材についての相互結合力を使用者の操作によって調節することにより、手首の橈骨部位および尺骨部位についての圧迫の荷重を調節できるため、使用者の必要に応じて、より便利かつ最適化された状態で使用できる手首保護帯を提供するものである。
【００１０】
本発明のまた他の目的は、相互回動可能に結合される圧迫部材および連結部材を介して手首保護帯の内部直径を全体的に拡張または縮小させ得るため、手首保護帯を手首に着用するか、または外す過程をより便利に行い得、また、圧迫部材は変更せずに、連結部材のサイズだけを変更することにより、内部直径のサイズを調節できるため、部品の管理および製作がより容易な手首保護帯を提供するものである。
【００１１】
本発明のまた他の目的は、ダイヤル方式の操作部を介して簡単に圧迫部材を回動させて手首を圧迫するか、または圧迫を解除し得、圧迫強度も操作部を介して簡単に調節できる手首保護帯を提供するものである。
【００１２】
本発明のまた他の目的は、手首の橈骨部位および尺骨部位を圧迫する圧迫パッドの位置および厚さを使用者の必要に応じて調節できるようにすることにより、使用者の身体条件や環境条件などに応じて最適の状態に変更して使用できるため、より便利に使用できる手首保護帯を提供するものである。
【課題を解決するための手段】
【００１３】
本発明は、手首に着用されて手首を保護する手首保護帯において、内側面の一側に手首の橈骨部位および尺骨部位のうち、いずれか１つを手首の中心方向に圧迫するように、第１圧迫パッドが装着される第１圧迫部材と、内側面の一側に手首の橈骨部位および尺骨部位のうち、残りの１つを手首の中心方向に圧迫するように、前記第１圧迫パッドと対向する位置に第２圧迫パッドが装着される第２圧迫部材と、両端部が前記第１および第２圧迫部材の一端部にそれぞれ回動可能に結合されて前記第１および第２圧迫部材を連結する連結部材と、一側には、前記第１圧迫部材の他端部が回動可能に結合され、他側には、前記第２圧迫部材の他端部が使用者の操作によって結合または分離される結合ボディーと、を含み、前記橈骨部位および尺骨部位の以外には、手首を圧迫しないように形成され、前記結合ボディーは、前記第１および第２圧迫部材の前記橈骨部位および尺骨部位についての圧迫の荷重が調節されるように、前記第２圧迫部材の結合状態が使用者の操作によって調節可能に形成される手首保護帯を提供する。
【００１４】
このとき、前記結合ボディーの他側端部には、前記第２圧迫部材の他端部が挿入結合されるように、挿入ガイドホールが形成され、前記結合ボディーの中心部には、使用者によって操作可能な操作部が装着され、前記操作部は、前記第２圧迫部材が前記挿入ガイドホールに挿入される挿入の深さを調節するように形成され得る。
【００１５】
また、前記第２圧迫部材の他端部には、別の連結ワイヤが貫通結合されて前記結合ボディーの操作部に連結され、前記操作部の操作によって前記連結ワイヤが牽引されて前記第２圧迫部材が前記挿入ガイドホールに挿入結合され得る。
【００１６】
また、前記結合ボディーの挿入ガイドホールには、前記第２圧迫部材の連結ワイヤが前記操作部に連結される経路をガイドするように、ワイヤガイド部が形成され得る。
【００１７】
また、前記操作部は、前記結合ボディーに固定結合され、開放された上端部には、内周面にラチェットギアが形成される固定ボディーと、前記固定ボディーに上下に移動可能に結合され、下向き移動時に一方向の回転が拘束されるように、一側に前記ラチェットギアにかみ合われるストッパー突起が形成され、上向き移動時には、前記ストッパー突起とラチェットギアのかみ合い状態が解除される回転ボディーと、前記回転ボディーとともに一体として上下移動および回転移動するように前記回転ボディーと結合し、使用者によって操作されるダイヤルノブと、を含み、前記第２圧迫部材に貫通結合された連結ワイヤは、前記回転ボディーに一方向に巻取られ得る。
【００１８】
また、前記固定ボディーには、前記連結ワイヤが貫通して前記回転ボディーに巻取られるように、前記連結ワイヤの貫通経路をガイドするワイヤ流入口が形成され得る。
【００１９】
また、前記第１および第２圧迫パッドは、前記第１および第２圧迫部材にそれぞれ長さ方向に一定区間移動可能に装着され得る。
【００２０】
また、前記第１および第２圧迫パッドの前記第１および第２圧迫部材についての接触面には、それぞれ挿入突出部が形成され、前記第１および第２圧迫部材には、それぞれ前記挿入突出部が挿入収容されて移動できるようにパッド収容部が形成され、前記パッド収容部の内部空間には、前記挿入突出部がかみ合われた状態で外力によって移動できるように移動ガイド部が形成され得る。
【００２１】
また、前記第１および第２圧迫パッドの手首についての接触面には、別の補助圧迫パッドが着脱可能に結合され得る。
【００２２】
また、前記第１および第２圧迫パッドの手首についての接触面には、長さ方向に沿って互いに離隔して多数の結合溝が形成され、前記補助圧迫パッドの一面には、多数の前記結合溝のうち、いずれか１つに選択的に挿入結合するように結合突起が形成され得る。
【発明の効果】
【００２３】
本発明によると、圧迫パッドを用いて手首の橈骨部位および尺骨部位のみを手首の中心方向に圧迫させることにより、手のしびれや手が腫れるなどの副作用の発生を防止するとともに、手首の固定力を効果的に補うことができるため、手首が過度に挫けることを防止でき、手首の痛症を緩和させるなど、手首の保護機能を安定的に行い得る効果がある。
【００２４】
また、圧迫部材を回動可能に結合する形態として構成し、圧迫部材についての相互結合力を使用者の操作によって調節することにより、手首の橈骨部位および尺骨部位についての圧迫の荷重を調節できるため、使用者の必要に応じてより便利かつ最適化された状態で使用できる効果がある。
【００２５】
また、相互回動可能に結合される圧迫部材および連結部材を介して手首保護帯の内部直径を全体的に拡張または縮小させ得るため、手首保護帯を手首に着用するか、または外す過程をより便利に行い得、また、圧迫部材は変更せずに、連結部材のサイズだけを変更することにより、内部直径のサイズを調節できるため、部品管理および製作がより容易な効果がある。
【００２６】
また、ダイヤル方式の操作部を介して簡単に圧迫部材を回動させて手首を圧迫するか、または圧迫を解除し得、圧迫強度も操作部を介して簡単に調節できる効果がある。
【００２７】
また、手首の橈骨部位および尺骨部位を圧迫する圧迫パッドの位置および厚さを使用者の必要に応じて調節できるようにすることにより、使用者の身体条件や環境条件などに応じて最適の状態に変更して使用できるため、より便利に使用できる効果がある。
【図面の簡単な説明】
【００２８】
【図１】本発明の一実施例による手首保護帯の形状を概略的に示す斜視図である。
【図２】本発明の一実施例による手首保護帯の着用解除状態を概略的に示す斜視図である。
【図３】本発明の一実施例による手首保護帯の圧迫の荷重調節状態を概略的に示す図面である。
【図４】本発明の一実施例による手首保護帯の操作部についての内部構造を概略的に示す断面図である。
【図５】本発明の一実施例による手首保護帯の圧迫パッドについての様々な形態を概略的に示す図面である。
【図６】本発明の一実施例による手首保護帯の圧迫パッドの移動構造を概略的に示す図面である。
【図７】本発明の一実施例による手首保護帯の圧迫パッドの移動構造を概略的に示す図面である。
【図８】本発明の一実施例による手首保護帯の補助圧迫パッドについての結合構造を概略的に示す図面である。
【発明を実施するための形態】
【００２９】
以下、本発明の好ましい実施例を添付された図面を参照して具体的に説明する。まず、各図面の構成要素に参照符号を付加することにおいて、同一の構成要素については、たとえ他の図面上に表示されても、できるだけ同一の符号を有するようにしていることに留意すべきである。また、本発明を説明することにおいて、係る公知の構成または機能についての具体的な説明が本発明の要旨を曖昧にすると判断される場合には、その詳細な説明は省略する。
【００３０】
図１は、本発明の一実施例による手首保護帯の形状を概略的に示す斜視図であり、図２は、本発明の一実施例による手首保護帯の着用解除状態を概略的に示す斜視図であり、図３は、本発明の一実施例による手首保護帯の圧迫の荷重調節状態を概略的に示す図面であり、図４は、本発明の一実施例による手首保護帯の操作部についての内部構造を概略的に示す断面図である。
【００３１】
本発明の一実施例による手首保護帯は、使用者の手首Ｈに着用されて手のしびれのような副作用なしに手首を安定的に保護できるもので、第１圧迫部材１１０と、第２圧迫部材１２０と、連結部材１３０と、結合ボディー３００と、を含んで構成される。
【００３２】
第１圧迫部材１１０および第２圧迫部材１２０は、手首Ｈをくるむように内側面が凹状に湾曲した形として形成され、内側面の一側には、手首の橈骨Ｈ１部位および尺骨Ｈ２部位を手首の中心方向にそれぞれ圧迫するように第１圧迫パッド２１０および第２圧迫パッド２２０が装着される。連結部材１３０は、両端部が第１圧迫部材１１０および第２圧迫部材１２０の一端部にそれぞれ回動可能に結合され、第１圧迫部材１１０および第２圧迫部材１２０を連結する。
【００３３】
例えば、第１圧迫部材１１０は、第１圧迫パッド２１０が手首Ｈの尺骨Ｈ２部位をくるみつつ手首の中心方向に圧迫するように配置され、第２圧迫部材１２０は、これに対向するように第２圧迫パッド２２０が手首Ｈの橈骨Ｈ１部位をくるみつつ手首の中心方向に圧迫するように配置され得る。連結部材１３０は、第１圧迫部材１１０および第２圧迫部材１２０の一端部にそれぞれ回動可能に結合され、第１圧迫部材１１０および第２圧迫部材１２０を連結する。
【００３４】
結合ボディー３００は、一側に第１圧迫部材１１０の他端部が回動可能に結合され、他側には、第２圧迫部材１２０の他端部が使用者の操作によって結合または分離するように形成される。
【００３５】
このように構成された手首保護帯は、第１圧迫部材１１０および第２圧迫部材１２０の第１圧迫パッド２１０および第２圧迫パッド２２０によって手首Ｈの橈骨Ｈ１部位および尺骨Ｈ２部位が圧迫されるが、このとき、橈骨Ｈ１部位および尺骨Ｈ２部位以外には、手首Ｈを圧迫しないように形成される。すなわち、橈骨Ｈ１部位および尺骨Ｈ２部位以外の領域では、手首Ｈから離隔するか、または圧迫せずに、単純接触する形で形成され得る。
【００３６】
したがって、本発明の一実施例による手首保護帯は、第１圧迫パッド２１０および第２圧迫パッド２２０によって手首Ｈの橈骨Ｈ１部位と尺骨Ｈ２部位が圧迫されるため、手首Ｈの固定力を補うことができ、手首Ｈが過度に挫けることを防止でき、手首の痛症を緩和させるなど、手首の保護機能を安定的に行い得る。このとき、第１圧迫パッド２１０および第２圧迫パッド２２０による橈骨Ｈ１部位と尺骨Ｈ２部位以外には、手首Ｈの他の部位が圧迫されなくため、血液循環を妨げず、これにより、手のしびれや手が腫れるなどの副作用が発生しない。
【００３７】
また、第１圧迫パッド２１０および第２圧迫パッド２２０には、ジルコニウム（Ｚｒ）またはゲルマニウム（Ｇｅ）などで形成される健康補助具５００が内部に挿入され得、これを通じて手首部位についての様々な健康補助効能を付加し得る。
【００３８】
一方、結合ボディー３００は、一側に第１圧迫部材１１０が回動可能に結合され、他側に第２圧迫部材１２０が結合または分離するように形成されるが、このとき、第１圧迫部材１１０および第２圧迫部材１２０の橈骨Ｈ１部位および尺骨Ｈ２部位についての圧迫の荷重が調節されるように、第２圧迫部材１２０の結合状態が使用者の操作によって調節可能に形成される。
【００３９】
より具体的には、結合ボディー３００の他側の端部には、第２圧迫部材１２０の他端部が挿入結合されるように挿入ガイドホール３１０が形成され、結合ボディー３００の中心部には、使用者によって操作可能な操作部４００が装着され、操作部４００は、第２圧迫部材１２０が挿入ガイドホール３１０に挿入される挿入の深さを調節できるように形成される。
【００４０】
このとき、第２圧迫部材１２０の他端部には、別の連結ワイヤＷが貫通結合されて結合ボディー３００の操作部４００に連結され、操作部４００の操作によって連結ワイヤＷが牽引されて第２圧迫部材１２０が挿入ガイドホール３１０に挿入結合されるように構成され得る。
【００４１】
このような構成に応じて、結合ボディー３００の操作部４００を操作して連結ワイヤＷの牽引を解除することにより、図２に示すように、第２圧迫部材１２０を結合ボディー３００から分離させ得、反対に結合ボディー３００の操作部４００を操作して連結ワイヤＷを牽引することにより、図１に示すように、第２圧迫部材１２０を結合ボディー３００に結合させ得る。
【００４２】
これらの手首保護帯は、第２圧迫部材１２０が結合ボディー３００から分離されても、連結ワイヤＷを介して連結されるため、手首保護帯が全体的に常にリング形状を維持することになり、図２に示すように、第２圧迫部材１２０を結合ボディー３００から分離した開放状態で手首保護帯の内部空間を貫通する方向に手首を位置させた後、操作部４００を操作して牽引ワイヤＷを牽引することにより、図１に示すように、手首Ｈを圧迫し得る。
【００４３】
このとき、第１圧迫部材１１０の結合ボディー３００についての回転軸Ｍ、連結部材１３０の第１圧迫部材１１０についての回転軸Ｍ、第２圧迫部材１２０の連結部材１３０についての回転軸Ｍ、以上の３つの回転軸Ｍを中心にそれぞれの部材が回動することになるため、手首保護帯は、内部空間を全体的に拡張するか、または縮小させ得るため、手首Ｈを手首保護帯の内部空間に入れたり抜くとき、より容易く手首を移動させ得る。
【００４４】
また、手首Ｈの太さに応じて、異なる種類の手首保護帯が適用される必要があるが、この場合、第１圧迫部材１１０および第２圧迫部材１２０は、同じサイズで製作し、連結部材１３０だけその長さを互い異なるサイズで製作して結合することにより、手首保護帯の内部空間の直径を異なるように調節できる。
【００４５】
また、第２圧迫部材１２０の挿入ガイドホール３１０についての挿入の深さが操作部４００の操作によって調節されることにより、第１圧迫部材１１０および第２圧迫部材１２０の橈骨Ｈ１部位および尺骨Ｈ２部位の圧迫の荷重が調節されるが、例えば、図３の（ａ）に示すように、第２圧迫部材１２０が挿入ガイドホール３１０に相対的に深く挿入されるように操作部４００を操作すると、第１圧迫部材１１０および第２圧迫部材１２０の橈骨Ｈ１部位および尺骨Ｈ２部位についての圧迫の荷重が相対的に増加し、図３の（ｂ）に示すように、第２圧迫部材１２０が挿入ガイドホール３１０に相対的に浅く挿入されるように操作部４００を操作すると、第１圧迫部材１１０および第２圧迫部材１２０の橈骨Ｈ１部位および尺骨Ｈ２部位についての圧迫の荷重が相対的に減少することになる。
【００４６】
一方、操作部４００は、結合ボディー３００に固定結合され、開放された上端部には、内周面にラチェットギア４１１が形成される固定ボディー４１０と、固定ボディー４１０に上下に移動可能に結合され、下向き移動時に一方向の回転が拘束されるように、一側にラチェットギア４１１にかみ合われるストッパー突起４３１が形成され、上向き移動時には、ストッパー突起４３１とラチェットギア４１１のかみ合い状態が解除される回転ボディー４３０と、回転ボディー４３０とともに一体として上下移動および回転移動するように回転ボディー４３０と結合し、使用者によって操作されるように形成されるダイヤルノブ４２０と、を含み、第２圧迫部材１２０に貫通結合された連結ワイヤＷは、回転ボディー４３０に一方向に巻取られるように構成される。
【００４７】
したがって、ダイヤルノブ４２０を加圧して下向きに移動させた状態で、ダイヤルノブ４２０を例えば時計方向に回転させれば、ダイヤルノブ４２０とともに回転ボディー４３０が回転することになり、連結ワイヤＷが回転ボディー４３０に巻取られる。これにより、連結ワイヤＷが結合ボディー３００側に牽引され、第２圧迫部材１２０が挿入ガイドホール３１０に挿入結合される。この状態で、回転ボディー４３０は、ストッパー突起４３１が固定ボディー４１０のラチェットギア４１１にかみ合われるため、反対方向に回転拘束されるので、第２圧迫部材１２０は、ダイヤルノブ４２０を回転操作するによって、継続して挿入ガイドホール３１０により深く挿入されて橈骨Ｈ１部位および尺骨Ｈ２部位についての圧迫の荷重が増加することになり、その状態に維持される。
【００４８】
反対に、橈骨Ｈ１部位および尺骨Ｈ２部位についての圧迫の荷重を減少させるか、または第２圧迫部材１２０を結合ボディー３００から分離するためには、ダイヤルノブ４２０を上向きに引き出して回転ボディー４３０のストッパー突起４３１と固定ボディー４１０のラチェットギア４１１とのかみ合い状態を解除し、この状態で第２圧迫部材１２０を結合ボディー３００から分離する方向に回転移動させるか、またはダイヤルノブ４２０を反時計方向に回転させ得る。
【００４９】
一方、結合ボディー３００の挿入ガイドホール３１０には、第２圧迫部材１２０の連結ワイヤＷが回転ボディー４３０に巻取られる形態として操作部４００に連結されるように連結ワイヤＷの連結経路をガイドするワイヤガイド部３２０が形成され得る。ワイヤガイド部３２０は、第２圧迫部材１２０を貫通する連結ワイヤＷを挿入ガイドホール３１０の両側面の端部分にガイドするように形成され得る。
【００５０】
また、固定ボディー４１０には、第２圧迫部材１２０から連結される連結ワイヤＷが貫通して回転ボディー４３０に巻取られるように、連結ワイヤＷの貫通経路をガイドするワイヤ流入口４１２が形成され得る。ワイヤ流入口４１２は、ワイヤガイド部３２０と対応する形態として挿入ガイドホール３１０の両側面の端部分の隣接する位置にそれぞれ形成され得る。
【００５１】
これらのワイヤガイド部３２０とワイヤ流入口４１２によって、連結ワイヤＷは、一定の経路に配置状態が維持されるため、第２圧迫部材１２０が結合ボディー３００に結合されるか、または分離される場合にも、互いによじれるか、またはもつれるなどの問題なく、安定的に維持され得る。
【００５２】
図５は、本発明の一実施例による手首保護帯の圧迫パッドについての様々な形態を概略的に示す図面である。
【００５３】
本発明の一実施例による第１圧迫パッド２１０および第２圧迫パッド２２０は、図５に示すように、様々な形態として形成され得る。
【００５４】
例えば、図５の（ａ）に示すように、橈骨Ｈ１部位を圧迫する第２圧迫パッド２２０の長さＬ１が尺骨Ｈ２部位を圧迫する第１圧迫パッド２１０の長さＬ２よりもさらに長く形成され得る。腕をなす骨は、橈骨Ｈ１と尺骨Ｈ２があり、手首Ｈ 部位には、これらの橈骨Ｈ１と尺骨Ｈ２が外部に突出している。橈骨Ｈ１が尺骨Ｈ２よりもさらに太く形成され、手首Ｈ部位でも、より広い範囲で突出領域を示す。したがって、橈骨Ｈ１部位が相対的に広い領域を占めるため、橈骨Ｈ１部位を圧迫する第２圧迫パッド２２０の長さをより長く形成することが橈骨Ｈ１と尺骨Ｈ２部位を圧迫するのにより適し得る。
【００５５】
また、第１圧迫パッド２１０および第２圧迫パッド２２０は、図５の（ｂ）の示すように、長さ方向の中間部位で手首Ｈに接触する表面が凹状に湾曲した形として形成され得る。すなわち、第１圧迫パッド２１０および第２圧迫パッド２２０が均一な厚さとして形成される場合、手首Ｈについての接触面が第１圧迫部材１１０および第２圧迫部材１２０の内側面の曲線ラインと平行にＳ１ラインに沿って形成されるが、本発明の一実施例では、手首Ｈについての接触面が凹状に湾曲した形としてＳ２ラインに沿って形成され得る。このように手首Ｈについての接触面が凹状に湾曲した形として形成されることにより、第１圧迫パッド２１０および第２圧迫パッド２２０が手首Ｈにさらに密着し得、手首Ｈの橈骨部位および尺骨部位をより安定的に圧迫し得る。
【００５６】
図６および図７は、本発明の一実施例による手首保護帯の圧迫パッドの移動構造を概略的に示す図面である。
【００５７】
本発明の一実施例による第１圧迫パッド２１０および第２圧迫パッド２２０は、図６および図７に示すように、第１圧迫部材１１０および第２圧迫部材１２０の長さ方向に沿って一定区間移動可能に装着され得、これを通じて、第１圧迫パッド２１０および第２圧迫パッド２２０の位置を調節できるため、使用者ごとに異なり得る橈骨および尺骨部位を正確に圧迫し得る。
【００５８】
手首保護帯を手首Ｈに着用することになると、第１圧迫パッド２１０および第２圧迫パッド２２０が互いに対向するように配置され、手首Ｈの橈骨Ｈ１部位および尺骨Ｈ２部位を圧迫することになるが、このとき、手首Ｈの形状、橈骨Ｈ１および尺骨Ｈ２の位置などは、人ごとに少しずつ異なる場合があるため、使用者に応じては、第１圧迫パッド２１０および第２圧迫パッド２２０が正確な地点を圧迫し得ないこともある。
【００５９】
したがって、使用者が第１圧迫パッド２１０および第２圧迫パッド２２０を自分に適するように移動させて位置を調節できるようにすることにより、正確な位置に第１圧迫パッド２１０および第２圧迫パッド２２０を位置させ得、これを通じて、橈骨Ｈ１および尺骨Ｈ２部位を正確に圧迫し得る。
【００６０】
これらの第１圧迫パッド２１０および第２圧迫パッド２２０の位置移動のために、第１圧迫パッド２１０および第２圧迫パッド２２０の第１圧迫部材１１０および第２圧迫部材１２０についての接触面には、第１圧迫部材１１０および第２圧迫部材１２０の内部空間に挿入されるように挿入突出部２３０が形成され得る。また、第１圧迫部材１１０および第２圧迫部材１２０には、挿入突出部２３０が挿入収容されて移動できるようにパッド収容部１０１が形成され、パッド収容部１０１の内部空間には、挿入突出部２３０がかみ合われた状態で外力によって移動できるように移動ガイド部１０２が形成される。このとき、第１圧迫部材１１０および第２圧迫部材１２０の内側面には、第１圧迫パッド２１０および第２圧迫パッド２２０の挿入突出部２３０が挿入されるように、長さ方向に沿って開口部１０３が形成され得る。挿入突出部２３０は、開口部１０３を介してパッド収容部１０１に挿入収容され、パッド収容部１０１の内部に配置された移動ガイド部１０２に沿って長さ方向に移動できる。移動ガイド部１０２の端部分には、凹凸部が形成され、挿入突起部２３０は、凹凸部とかみ合われた状態で外力によって分割移動するように構成され得る。
【００６１】
このような構成に応じて、使用者が手首保護帯を手首Ｈに着用した状態で、第１圧迫パッド２１０および第２圧迫パッド２２０を長さ方向に沿って押すか、または引いて位置を調節でき、これを通じて、正確な橈骨部位および尺骨部位を圧迫し得る。
【００６２】
図８は、本発明の一実施例による手首保護帯の補助圧迫パッドについての結合構造を概略的に示す図面である。
【００６３】
本発明の一実施例による第１圧迫パッド２１０および第２圧迫パッド２２０は、図８に示すように、別の補助圧迫パッド２５０をさらに含み得る。
【００６４】
補助圧迫パッド２５０は、第１圧迫パッド２１０および第２圧迫パッド２２０の手首Ｈについての接触面に着脱可能に結合されるように構成され得る。これらの補助圧迫パッド２５０は、第１圧迫パッド２１０および第２圧迫パッド２２０の手首Ｈについての接触面に結合されて実質的に手首Ｈの橈骨Ｈ１部位および尺骨Ｈ２部位を圧迫するように構成され、革やシリコーンのような軟性材質で形成され得る。
【００６５】
これらの補助圧迫パッド２５０を第１圧迫パッド２１０および第２圧迫パッド２２０に結合または除去することにより、第１圧迫パッド２１０および第２圧迫パッド２２０の厚さを調節できる。すなわち、補助圧迫パッド２５０を第１圧迫パッド２１０および第２圧迫パッド２２０に結合することになると、全体的に第１圧迫パッド２１０および第２圧迫パッド２２０の厚さが厚くなり、補助圧迫パッド２５０を第１圧迫パッド２１０および第２圧迫パッド２２０から除去すると、全体的に第１圧迫パッド２１０および第２圧迫パッド２２０の厚さが薄くなる。
【００６６】
このように補助圧迫パッド２５０を用いて第１圧迫パッド２１０および第２圧迫パッド２２０の全体的な厚さを調節でき、これを通じて、使用者は、自分の身体条件や環境条件などに応じて、適切な厚さで第１圧迫パッド２１０および第２圧迫パッド２２０の厚さを調節できる。
【００６７】
このとき、第１圧迫パッド２１０および第２圧迫パッド２２０の手首Ｈについての接触面には、結合溝２４０が形成され得、補助圧迫パッド２５０の一面には、結合溝２４０に挿入結合されるように結合突起２５１が形成され、結合溝２４０と結合突起２５１の結合を通じて、補助圧迫パッド２５０が第１圧迫パッド２１０および第２圧迫パッド２２０に着脱可能に結合されるように構成し得る。
【００６８】
また、補助圧迫パッド２５０が結合される結合位置についての調節を通じて、実質的に橈骨部位および尺骨部位を圧迫する部位についての位置も調節できる。このために、結合溝２４０は、第１圧迫パッド２１０および第２圧迫パッド２２０に長さ方向に沿って多数が形成され得る。
【００６９】
すなわち、図８に示すように、補助圧迫パッド２５０の結合突起２５１を第１圧迫パッド２１０および第２圧迫パッド２２０の多数の結合溝２４０のうち、いずれか１つに選択的に結合することにより、補助圧迫パッド２５０の結合位置を調節でき、このような構造によって、補助圧迫パッド２５０を介して手首Ｈの圧迫位置を便利に調節できる。
【００７０】
以上の説明は、本発明の技術思想を例示的に説明したものに過ぎないものであって、本発明が属する技術分野で通常の知識を有する者であれば、本発明の本質的な特性から逸脱しない範囲で様々な修正および変形が可能であろう。したがって、本発明に開示された実施例は、本発明の技術思想を限定するためのものではなく、説明するためのものであり、これらの実施例によって本発明の技術思想の範囲が限定されるものではない。本発明の保護範囲は、以下の請求範囲によって解釈されるべきであり、これと同等の範囲内にあるすべての技術思想は、本発明の権利範囲に含まれるものと解釈されるべきである。
【図１】
2020528502.tif 000003
【図２】
2020528502.tif 000004
【図３】
2020528502.tif 000005
【図４】
2020528502.tif 000006
【図５】
2020528502.tif 000007
【図６】
2020528502.tif 000008
【図７】
2020528502.tif 000009
【図８】
2020528502.tif 000010
【国際調査報告】
2020528502.tif 000011
2020528502.tif 000012
2020528502.tif 000013
2020528502.tif 000014